(57)【特許請求の範囲】
【請求項１】
枠体と、枠体に対してスライド可能に配設した障子と、枠体に配設された相手側面材とを備え、障子を閉じた際に枠体の中央部に位置する障子の召し合わせ框が、相手側面材を支持する相手側フレーム材の見付け面に対向するように配置される建具であって、
前記召し合わせ框には、前記相手側フレーム材の見付け面に対向して配置される框本体と、前記框本体から見付け方向に沿って外周側に突出し、前記框本体と一体に成形した板状の支持部とが設けられ、前記支持部において前記相手側面材に対向する支持面に高温状態となった場合に膨張する加熱膨張材が配設されていることを特徴とする建具。
【請求項２】
枠体と、枠体に対してスライド可能に配設した障子と、枠体に配設された相手側面材とを備え、障子を閉じた際に枠体の中央部に位置する障子の召し合わせ框が、相手側面材を支持する相手側フレーム材の見付け面に対向するように配置される建具であって、
前記召し合わせ框には、前記相手側フレーム材の見付け面に対向して配置される框本体と、前記框本体から見付け方向に沿って外周側に突出し、前記框本体と別体に成形した板状の支持部とが設けられ、前記支持部において前記相手側面材に対向する支持面に高温状態となった場合に膨張する加熱膨張材が配設されていることを特徴とする建具。
【請求項３】
前記支持面において前記加熱膨張材の両側縁部に対応する部位に前記加熱膨張材の縁部を挟持する挟持部を設けたことを特徴とする請求項１または請求項２に記載の建具。
【請求項４】
前記障子の戸先に位置する框と前記枠体との間に錠手段を設けたことを特徴とする請求項１〜請求項３のいずれか一つに記載の建具。
【請求項５】
前記相手側フレーム材を方立枠として躯体に固定したことを特徴とする請求項１〜請求項４のいずれか一つに記載の建具。
【発明の詳細な説明】
【技術分野】
【０００１】
本発明は、建具に関するもので、特に、防火性を考慮した建具に関するものである。
【背景技術】
【０００２】
昨今の建具には、防火性を考慮したものが多く提供されている。例えば、特許文献１に記載された建具では、引き違いとなる２枚の障子を閉じた場合に互いに対向して配置される召し合せ框の見付け面に加熱膨張材が配設されている。こうした建具では、建具が高温状態となると、加熱膨張材が膨張して召し合せ框の隙間が塞がれることになる。従って、例えば屋外で火災が発生した場合にも、召し合せ框の隙間を通じて火炎が室内側に進入する事態を防止することが可能になる。
【先行技術文献】
【特許文献】
【０００３】
【特許文献１】特開２０１５−５９３２０号公報
【発明の概要】
【発明が解決しようとする課題】
【０００４】
ところで、障子のスライド方向に沿って延在する框（左右にスライドする場合には上框及び下框）については、それぞれが常に枠体のレールと係合しているため、また、障子の戸先に位置する戸先框については、障子が閉じた場合に対応する枠に係合するため、高温状態となった場合にも熱変形が規制された状態にある。これに対して枠体の中央部に位置される召し合せ框は、枠体によって支持することが困難であるため、高温状態となった場合、熱変形を来たし易い。従って、建具の防火性を向上させるには、召し合せ框が熱変形する以前の段階で加熱膨張材を膨張させることが好ましい。
【０００５】
しかしながら、上述の建具では、互いに相手側の召し合せ框によって覆われる位置に加熱膨張材が配設されており、召し合せ框が火炎に晒された場合にも、加熱膨張材が膨張温度に到達するまでに漸次時間を要することになる。このため、加熱膨張材が膨張する時点においては、既に召し合せ框に熱変形が発生し、互いの隙間が増大して火炎が貫通する事態を招来しているおそれがある。
【０００６】
本発明は、上記実情に鑑みて、防火性を向上することのできる建具を提供することを目的とする。
【課題を解決するための手段】
【０００７】
上記目的を達成するため、本発明に係る建具は、枠体と、枠体に対してスライド可能に配設した障子と、枠体に配設された相手側面材とを備え、障子を閉じた際に枠体の中央部に位置する障子の召し合わせ框が、相手側面材を支持する相手側フレーム材の見付け面に対向するように配置される建具であって、前記召し合わせ框には、前記相手側フレーム材の見付け面に対向して配置される框本体と、前記框本体から見付け方向に沿って外周側に突出し、前記框本体と一体に成形した板状の支持部とが設けられ、前記支持部において前記相手側面材に対向する支持面に高温状態となった場合に膨張する加熱膨張材が配設されていることを特徴とする。
【０００８】
この発明によれば、相手側フレーム材に支持された相手側面材に対向する部分に加熱膨張材を配設するようにしているため、召し合せ框が高温となった場合に加熱膨張材が早期に高温状態となって膨張し、召し合せ框が熱変形する以前に相手側フレーム材との間の隙間を塞ぐことが可能となる。しかも、支持部を迂回しなければ火炎が召し合せ框と相手側フレーム材との間に進入することができないため、この点からも防火性を向上させることができる。
【００１０】
この発明によれば、框本体と支持部とを一体に成形しているため、取り扱い部品点数が増えることがなく、建具を組み立てる際の作業性に影響を与えることがない。
【００１１】
また、本発明に係る建具は、枠体と、枠体に対してスライド可能に配設した障子と、枠体に配設された相手側面材とを備え、障子を閉じた際に枠体の中央部に位置する障子の召し合わせ框が、相手側面材を支持する相手側フレーム材の見付け面に対向するように配置される建具であって、前記召し合わせ框には、前記相手側フレーム材の見付け面に対向して配置される框本体と、前記框本体から見付け方向に沿って外周側に突出し、前記框本体と別体に成形した板状の支持部とが設けられ、前記支持部において前記相手側面材に対向する支持面に高温状態となった場合に膨張する加熱膨張材が配設されていることを特徴とする。
【００１２】
この発明によれば、框本体から支持面が突出することがなく、外観上においては従前の召し合せ框との相違がないため、支持面を設けることに起因して建具の意匠性が損なわれるおそれがない。
【００１３】
また本発明は、上述した建具において、前記支持面において前記加熱膨張材の両側縁部に対応する部位に前記加熱膨張材の縁部を挟持する挟持部を設けたことを特徴とする。
【００１４】
この発明によれば、加熱膨張材が脱落する事態を防止し、高温状態となった場合に確実に相手側フレーム材との間の隙間を塞ぐことができる。
【００１６】
この発明によれば、既存の建具に対しても支持部を設けることができ、その防火性を向上させることが可能となる。
【００１８】
この発明によれば、相手側フレーム材に支持された相手側面材に対向する部分に加熱膨張材を配設するようにしているため、召し合せ框が高温となった場合に加熱膨張材が早期に高温状態となって膨張し、召し合せ框が熱変形する以前に相手側フレーム材との間の隙間を塞ぐことが可能となる。しかも、支持部を迂回しなければ火炎が召し合せ框と相手側フレーム材との間に進入することができないため、この点からも防火性を向上させることができる。
【００１９】
また本発明は、上述した建具において、前記障子の戸先に位置する框と前記枠体との間に錠手段を設けたことを特徴とする。
【００２０】
この発明によれば、召し合せ框と相手側フレーム材との間にクレセントを設ける必要がなく、建具の意匠性を向上させることができる。
【００２１】
また本発明は、上述した建具において、前記相手側フレーム材を方立枠として躯体に固定したことを特徴とする。
【００２２】
この発明によれば、片引き戸や片引き窓の防火性を向上させることができる。
【発明の効果】
【００２３】
本発明によれば、相手側フレーム材に支持された相手側面材に対向する部分に加熱膨張材を配設するようにしているため、召し合せ框が高温となった場合に加熱膨張材が早期に高温状態となって膨張し、召し合せ框が熱変形する以前に相手側フレーム材との間の隙間を塞ぐことが可能となる。しかも、支持部を迂回しなければ火炎が召し合せ框と相手側フレーム材との間に進入することができないため、この点からも防火性を向上させることができる。
【図面の簡単な説明】
【００２４】
【図１】図１は、本発明の実施の形態１である召し合せ框を適用した建具において障子が閉じた状態を室外側から見た図である。
【図２】図２は、図１に示した建具の横断面図である。
【図３】図３は、図１に示した建具の要部拡大横断面図である。
【図４】図４は、図１に示した建具において障子が少し開いた状態の要部拡大横断面図である。
【図５】図５は、図１に示した建具に適用する召し合せ框を室内側から見た斜視図である。
【図６】図６は、本発明の実施の形態２である召し合せ框を適用した建具の要部拡大横断面図である。
【図７】図７は、本発明の実施の形態３である召し合せ框を適用した建具において障子が閉じた状態の要部拡大横断面図である。
【図８】図８は、図７に示した建具において障子が少し開いた状態の要部拡大横断面図である。
【発明を実施するための形態】
【００２５】
以下、添付図面を参照しながら本発明に係る召し合せ框及び建具の好適な実施の形態について詳細に説明する。
【００２６】
図１及び図２は、本発明の実施の形態１である召し合せ框を適用した建具を示したものである。ここで例示する建具は、家屋の内部から室外の屋根付き駐車スペース（以下、単に「室外」と称する）に通じる勝手口に設けられた片引き戸と称されるものであり、枠体１０及び障子２０を備えている。
【００２７】
枠体１０は、上枠１１、下枠１２及び左右の縦枠１３，１４を四周枠組みすることによって構成したものである。枠体１０は、躯体Ｂに設けられた勝手口となる開口ＢＯに対して左右にほぼ２倍の大きさを有した矩形状に構成したものである。この枠体１０は、室外側から見た際に右側に位置する縦枠（以下、「戸先枠１３」という）を勝手口の右側縁部に沿った位置に配置し、かつ上枠１１及び下枠１２をそれぞれ勝手口の上縁及び下縁に沿った位置に配置した状態で躯体Ｂの室外側壁面に取り付けてある。枠体１０の上方及び左右となる部分には、躯体Ｂの表面を覆うように外装パネルＰが配設してある。図２に示すように、戸先枠１３としては、内部に空間を有した中空状のものを適用しているのに対し、もう一方の縦枠（以下、「戸尻枠１４」という）としては、単に薄板状を成すものを適用している。枠体１０を構成する上枠１１、下枠１２、戸先枠１３及び戸尻枠１４は、アルミニウム合金によって成形した押し出し形材であり、それぞれが全長にわたってほぼ一様な断面を有するように形成してある。
【００２８】
この枠体１０には、勝手口の左側縁部に沿った位置に方立枠（相手側フレーム材）１５が設けてある。方立枠１５は、図３に示すように、枠本体１５ａ、固定ヒレ部１５ｂ及び枠側係合片１５ｃを有したもので、図１に示すように、上端部が上枠１１に固定してあるとともに、下端部が下枠１２に固定してある。枠本体１５ａは、枠体１０を構成する上枠１１、下枠１２、戸先枠１３及び戸尻枠１４に対して見込み方向に沿った寸法が１／２以下となる略矩形の断面を有した柱状部材であり、枠体１０において室内側となる部分に寄せて配設してある。固定ヒレ部１５ｂは、枠本体１５ａの室内に臨む見付け面において戸尻枠１４側に位置する縁部から見付け方向に沿うように戸尻枠１４に向けて突出した薄板状部分である。方立枠１５は、この固定ヒレ部１５ｂを介して躯体ＢにネジＳを螺合することにより躯体Ｂに固定してある。枠本体１５ａの室外に臨む見付け面の内周側部分から勝手口の内周に臨む見込み面には、カバー部材１６が配設してある。カバー部材１６は、枠本体１５ａの見付け面及び勝手口の額縁１７にそれぞれネジＳを螺合することによってこれら枠本体１５ａ及び額縁１７に固定してある。図１に示すように、方立枠１５と上枠１１、下枠１２及び戸尻枠１４とによって構成される矩形の領域には、縁部がそれぞれの枠１５，１１，１２，１４によって支持された外装パネル（相手側面材）Ｐが配設してある。枠側係合片１５ｃは、枠本体１５ａの見付け面において左右方向のほぼ中央となる位置から室外に向けて突出した後、見付け方向に沿うように戸尻枠１４に向けてほぼ直角に屈曲した薄板状部分である。上述の構成を有する方立枠１５も枠体１０の枠１１，１２，１３，１４と同様、アルミニウム合金によって成形した押し出し形材であり、枠本体１５ａ、固定ヒレ部１５ｂ及び枠側係合片１５ｃが一体に成形してある。
【００２９】
障子２０は、枠体１０において方立枠１５よりも室外側となる部位に左右方向に沿ってスライド可能となるように配設したもので、勝手口を開閉することが可能である。本実施の形態１では、図１に示すように、矩形の枠状を成す框２１の内部に面材２２を配設することによって障子２０が構成してある。框２１は、上框２１１、下框２１２及び左右の縦框２１３，２１４を四周框組みすることによって構成したもので、勝手口を閉じることのできる大きさを有している。すなわち、障子２０の框２１は、室外側から見た際に右側に位置する縦框（以下、「戸先框２１３」という）の見込み面を戸先枠１３の見込み面に当接させた場合に、もう一方の縦框（以下、「召し合せ框２１４」という）が方立枠１５の見付け面に対向する位置に配置されるように構成してある。
【００３０】
この障子２０には、図１及び図２に示すように、框２１の内部に中桟２１５が設けてあり、戸先框２１３に戸先錠（錠手段）２３が設けてある。中桟２１５は、上框２１１と平行となるように左右の縦框２１３，２１４の間に架け渡したもので、框２１の内部を上下に二分している。面材２２は、図２に示すように、スペーサ２２１を介して２枚のガラス板２２２を重ね合わせることによって構成した複層ガラスであり、中桟２１５によって二分された框２１の内部にそれぞれ配設してある。戸先錠２３は、障子２０を閉じた状態で施錠操作した場合に施錠フック２３１が戸先枠１３に係合し、障子２０の開く方向への移動を規制するもので、略角筒状に構成した戸先框２１３の内部に配設してある。戸先錠２３を解錠操作すれば、枠体１０に対して再び障子２０をスライドすることが可能となる。なお、戸先錠２３の具体的な構成については詳述していないが、上述のように動作するものであれば、従前から用いられているものを適宜適用すれば良い。
【００３１】
図３〜図５に示すように、障子２０の召し合せ框２１４は、框本体２１４ａ、框側係合片２１４ｂ及び支持部２１４ｃを有して構成してある。框本体２１４ａは、方立枠１５の枠本体１５ａとほぼ同じ見付け寸法を有した中空の角筒状を成すものである。框本体２１４ａの内周側となる見込み面には、両側縁部からそれぞれ面材支持片部２１４ｄが設けてあり、面材支持片部２１４ｄの相互間にガスケット２２３を介して面材２２の縁部が収容保持してある。框側係合片２１４ｂは、框本体２１４ａの室内に臨む見付け面から室内に向けて突出した後、見付け方向に沿うように戸先枠１３に向けてほぼ直角に屈曲した薄板状部分である。図からも明らかなように、この框側係合片２１４ｂは、障子２０を閉じた際に枠側係合片１５ｃの先端よりも戸尻枠１４側となる部位から突出し、見付け方向に沿った部分が方立枠１５における枠本体１５ａの見付け面と枠側係合片１５ｃとの間の隙間に進入することができるように設けてある。
【００３２】
支持部２１４ｃは、枠本体１５ａの室内に臨む見付け面において戸尻枠１４側の縁部から室内に向けて突出した後、見付け方向に沿うように戸尻枠１４に向けてほぼ直角に屈曲した薄板状部分である。この支持部２１４ｃは、障子２０を閉じた際に方立枠１５における枠本体１５ａの見付け面よりも戸尻枠１４側に突出し、室内に臨む見付け面（以下、「支持面２１４ｃａ」という）が外装パネルＰに対向している。支持部２１４ｃの支持面２１４ｃａには、両側縁部に挟持部２１４ｅが設けてあるとともに、挟持部２１４ｅの相互間となる部位に加熱膨張材３０が配設してある。挟持部２１４ｅは、支持部２１４ｃの縁部から室内に向けて突出した後、それぞれの突出端部が互いに近接する方向に屈曲したものである。加熱膨張材３０は、膨張黒鉛等のように、高温状態となった場合に膨張する難燃性部材であり、シート状に構成したものが支持面２１４ｃａの全長にわたって配設してある。加熱膨張材３０の両側縁部は、支持面２１４ｃａと挟持部２１４ｅの屈曲端部との間に挟持された状態にある。
【００３３】
框２１を構成する上框２１１、下框２１２、左右の縦框２１３，２１４及び中桟２１５は、アルミニウム合金によって成形した押し出し形材であり、それぞれが全長にわたってほぼ一様な断面を有するように形成してある。なお、図中の符号４０は、召し合せ框２１４の框本体２１４ａにおいて框側係合片２１４ｂと支持部２１４ｃとの間に設けたモヘアである。モヘア４０は、刷毛状の部材であり、框本体２１４ａの全長にわたる部位から室内に向けて突出するように配設してある。このモヘア４０は、障子２０を閉じた際に先端部が方立枠１５の室外に臨む見付け面に当接することにより、方立枠１５と召し合せ框２１４との間の隙間から埃や虫等の異物が室内に進入するのを防止するように機能するものである。また、図中の符号５０は、框本体２１４ａの室内に臨む見付け面において框側係合片２１４ｂよりも戸先枠１３側となる部位に配設した内方加熱膨張材である。
【００３４】
上記のように構成した建具では、外装パネルＰに対向するように召し合せ框２１４に支持部２１４ｃを設け、この支持部２１４ｃの外装パネルＰに対向する見付け面に加熱膨張材３０を配設するようにしているため、例えば障子２０を閉じた状態において屋外で火災が発生し、召し合せ框２１４が火炎に晒されると、支持部２１４ｃに配設した加熱膨張材３０が早期に高温状態となって膨張することになる。従って、召し合せ框２１４が熱変形する以前に方立枠１５との間の隙間を塞ぐことが可能となり、屋外の火炎が室内側に至る事態を防止することができる。
【００３５】
しかも、方立枠１５と召し合せ框２１４との間の隙間が、膨張した加熱膨張材３０によって充填されるため、互いの間に火炎が進入することがなく、召し合せ框２１４の框側係合片２１４ｂが方立枠１５の枠本体１５ａと枠側係合片１５ｃとの間に進入した状態に維持される。特に、本実施の形態１の場合には、外装パネルＰに対向するように召し合せ框２１４の框本体２１４ａから支持部２１４ｃが突出しているため、この支持部２１４ｃを迂回しなければ方立枠１５と召し合せ框２１４との間に火炎が進入することができず、上述の効果が一層顕著となる。
【００３６】
ここで、方立枠１５については、召し合せ框２１４によって覆われており、しかも躯体Ｂに支持されたものであるため、熱変形が招来され難い。従って、加熱膨張材３０が膨張した後に召し合せ框２１４が熱変形する程度まで高温状態となった場合にも、框側係合片２１４ｂが枠側係合片１５ｃに係合することによって召し合せ框２１４の熱変形が抑えられることになる。これにより、方立枠１５と召し合せ框２１４との間にクレセントを設けていない場合にも、方立枠１５と召し合せ框２１４との間の隙間が増大する事態を防止することができ、屋外の火炎が室内側に貫通する事態を招来するおそれがなくなる。
【００３７】
このように上述の建具によれば、外装パネルＰに対向するように設けた召し合せ框２１４の支持部２１４ｃに加熱膨張材３０を配設するようにしているため、屋外で火災が発生した場合にも召し合せ框２１４と方立枠１５との間の隙間が増大する事態を防止する事態を招来するおそれがなくなり、その防火性を向上させることが可能となる。
【００３８】
なお、上述した実施の形態１では、支持部２１４ｃを召し合せ框２１４と一体に設けるようにしているが、本発明はこれに限定されない。例えば、図６に示す実施の形態２のように、Ｌ字状の断面を有したフレーム状の支持部３１４を召し合せ框２１４の框本体２１４ａとは別体に成形し、このフレーム状の支持部３１４を框本体２１４ａに取り付けることによって支持面３１４ａを設けるようにしても良い。フレーム状の支持部３１４を取り付ける方法としては、図示のようにネジＳを用いても良いし、接着や溶着させるようにしても構わない。また、実施の形態１と同様に、加熱膨張材３０の両側縁部を挟持するようにフレーム材に挟持部を設けるようにしても良い。なお、実施の形態２においては、実施の形態１と同様の構成に同一の符号が付してある。
【００３９】
この実施の形態２によれば、既に設置されている建具に対してもフレーム状の支持部３１４を取り付ければ、実施の形態１と同様の作用効果を奏することができ、建具全体や障子を交換する必要がないため、防火性を簡便に向上することが可能となる。
【００４０】
また、上述した実施の形態１では、框本体２１４ａから板状の支持部２１４ｃを突出させるようにしているが、図７及び図８に示す実施の形態３のように、方立枠１５の見付け面よりも大きな見付け寸法を有するように召し合せ框４１４の框本体４１４ａを成形し、障子２０を閉じた際に框本体４１４ａの室内に臨む見付け面４１４ａｂにおいて外装パネルＰに対向する部分に支持面４１４ａｃを構成して加熱膨張材３０を支持させることも可能である。支持面４１４ａｃの両側縁部に挟持部４１４ｅを設けるようにしても良いのはもちろんである。なお、実施の形態３においては、実施の形態１と同様の構成に同一の符号が付してある。また、図中の符号４１４ｂは、召し合せ框４１４に設けた框側係合片であり、障子２０を閉じた際に方立枠１５に設けた枠側係合片１５ｃに係合することが可能である。また、図中の符号４１４ｄは、ガスケット２２３を介して面材２２を収容支持するための面材支持片部である。
【００４１】
この実施の形態３によれば、框本体４１４ａから支持面４１４ａｃが外部に突出することがなく、外観上においては既存の召し合せ框との相違がないため、建具の意匠性を損なうことなく防火性を向上することが可能となる。
【００４２】
さらに、上述した実施の形態１〜実施の形態３では、左右方向にスライドする建具及びこれに適用する召し合せ框を例示しているが、障子のスライド方向は上下方向であっても良い。また、障子としては、中桟を備えたものに限らない。さらに、本発明は必ずしも片引き戸（窓）に限らず、引き違い戸（窓）にも適用することが可能である。この場合、相手側フレーム材に対応する構成が、室内側に配設される障子の召し合せ框となり、相手側面材に対応する構成が室内側に配設される障子の面材となる。
【符号の説明】
【００４３】
１０  枠体、１５  方立枠、２０  障子、２２  面材、２３  戸先錠、３０  加熱膨張材、２１３  戸先框、２１４，４１４  召し合せ框、２１４ａ，４１４ａ  框本体、２１４ｃ，３１４  支持部、２１４ｃａ，３１４ａ，４１４ａｃ  支持面、２１４ｅ，４１４ｅ  挟持部、Ｐ  外装パネル
【図１】
0006527797.tif 000002
【図２】
0006527797.tif 000003
【図３】
0006527797.tif 000004
【図４】
0006527797.tif 000005
【図５】
0006527797.tif 000006
【図６】
0006527797.tif 000007
【図７】
0006527797.tif 000008
【図８】
0006527797.tif 000009